(57)【特許請求の範囲】
【請求項１】
切開創に留置される筒状の開創器本体と、
前記開創器本体の開口端部に着脱自在に装着されて前記開口端部を閉蓋するコンバータと、
前記コンバータの複数箇所に設けられ、処置具を前記開創器本体の内部にそれぞれ挿入する複数のポートと、
前記コンバータを前記開口端部に当接させた非係止状態から前記コンバータを前記開創器本体に対して軸回転方向に所定角度だけ回転させることで前記コンバータを前記開創器本体に係止状態にロックする係止手段と、
を備え、
前記コンバータは、前記開創器本体の軸周りにおける設置角度であって、複数通りの設置角度より選択的に選ばれた設置角度で前記開口端部に装着可能であり、かつ、前記開創器本体に対する前記コンバータの設置角度を変更したときに前記複数のポートの集合体の見た目の配置角度が変化するように、前記複数のポートが配置されているとともに前記複数通りの設置角度が設定されており、
前記開創器本体は、前記切開創を所定の開き方向に広げた状態で保持する拡張手段を備え、
いずれか一つ以上の前記設置角度で前記コンバータが前記開口端部に装着された場合の第一のポートと第二のポートとを結ぶ線分の垂直二等分線と前記開き方向とのなす角度が１１５度±２０度であり、
前記コンバータには、前記垂直二等分線よりも前記所定角度だけ前記軸回転方向の前方に、前記係止状態における前記垂直二等分線の延在方向を示す指標部が設けられている医療用処置用具。
【請求項２】
前記コンバータは、９０度ずつ異なる等角度間隔の四通りの設置角度より選択的に選ばれた設置角度で前記開口端部に装着可能である請求項１に記載の医療用処置用具。
【請求項３】
前記複数のポートには、前記第一のポートと前記第二のポートの他に、少なくとも第三のポートが含まれ、
前記第一のポート、前記第二のポートおよび前記第三のポートが、略正三角形上に配置され、
かつ前記設置角度が四通り以上より選択される請求項１または２に記載の医療用処置用具。
【請求項４】
前記処置具を挿通可能な複数の弁部材が前記ポートにそれぞれ設けられている請求項１から３のいずれか一項に記載の医療用処置用具。
【請求項５】
前記複数のポートには、前記弁部材の形成高さが前記第一のポートと異なる第四のポートがさらに含まれ、
前記第四のポートは、前記第一のポートを通り前記垂直二等分線に平行な直線上に配置されている請求項４に記載の医療用処置用具。
【発明の詳細な説明】
【技術分野】
【０００１】
本発明は、切開創に留置して用いられる医療用処置用具に関する。
【背景技術】
【０００２】
腹腔鏡下手術においては、一つの切開創から鉗子や光学装置などの複数の処置具を挿入して手術を行う単孔式手術が行われている。患者の体表に残る切開創が一つになることで美容的メリットが高い。特に、術後の目立ちを防止するため臍に切開創を形成することが一般的である。
【０００３】
そして近年では、一つの切開創に複数の処置具を入れるための専用の器具も開発されている（特許文献１、２を参照）。これらの器具は、切開創を開いた状態に保持する筒状の開創器本体と、処置具をそれぞれ挿入する複数の小孔（ポート）を有する蓋状のコンバータとを備えている。
【０００４】
一方、腹腔鏡下手術では、切除された臓器（切除組織）を体外に取り出す必要がある。ポートを通過できない大きな切除組織を取り出す場合は、これを把持した鉗子を開創器本体ごと切開創から引き抜いて取り出すことがこれまで行われていた。また、臓器に癌の疑いがある場合には、癌のインプランテーションを防止するため、切除組織を腹腔内で回収袋に収容したうえで、開創器本体ごと回収袋を切開創から引き抜いて取り出すことが一般的であった。しかしながら、開創器本体を切開創から引き抜く作業は患者への負担が大きく、また特に複数箇所の切除および組織の取り出しを繰り返して行う場合には、開創器本体を切開創に対して何度も装着および抜去する必要があり負担が大きかった。
【０００５】
これに対し、特許文献１、２に記載の器具は、コンバータが開創器本体に対して着脱可能である。このため、切除組織を取り出す際には、開創器本体を切開創に留置したままコンバータを開創器本体から取り外すことで、開創器本体の大径の開口を通じて鉗子や回収袋を引き抜くことが可能である。これにより、開創器本体を腹壁に繰り返し着脱する必要がないため、患者への負担が少なく、また迅速な切除術が可能である。
【０００６】
特許文献１に記載の器具は、その図１に示されるようにコンバータ（弁プレート）を開創器本体（保持具本体）に対して軸回りに回転させることで、突起と係合溝とが係止してコンバータが装着される。また、この器具は、その図５（ｂ）や図６（ｂ）に示されるように、突起とポートがともに等しい角度間隔（１２０度間隔）で配置されている。このため、コンバータの取り付け角度を特に意識せずとも、開創器本体に対するポートの配置位置を常に一定にすることができる。
【０００７】
また、特許文献２の器具は、その図１０（Ｆｉｇ１１）や図１６（Ｆｉｇ１７）に示されるように、複数のポート（２５〜２８）が設けられたコンバータ（２０）を任意の角度で開創器本体（２）に押し込むことで着脱可能に装着することができる。具体的には、その図１０に示されるように複数の弾性突起（９１）が周囲に形成されたコネクタベース（８０）をリング（６）にスナップ式に装着する態様と、その図１６に示されるようにＯリング（５３）を結合環（５４）に挿入する態様が開示されている。
【先行技術文献】
【特許文献】
【０００８】
【特許文献１】特開２００２−２８１６３号公報
【特許文献２】国際公開２００８／１４９３３２号パンフレット
【発明の概要】
【発明が解決しようとする課題】
【０００９】
臍などに切開創を形成する単孔式手術において気腹下操作で胃、胆嚢、大腸など種々の臓器にアクセスして患部を切除する場合、対象の患部にもっとも近い複数のポートをその都度選択して、把持用の鉗子や切除用のメスを挿入する。他のポートには補助用の鉗子や光学装置などが挿入されることが一般的である。
【００１０】
このため、切開創に留置された開創器本体にコンバータを着脱可能に装着する際には、処置中の臓器に繰り返しアクセスする場合の操作の安定性と、種々の臓器に容易にアクセス可能な多様性の実現という、相反する要求を満足することが求められている。
【００１１】
しかしながら、特許文献１の器具は、開創器本体に対するポートの配置位置が常に同じ正三角形上に再現されてしまうため、患部の位置によっては、例えば二つのポートの延長線上に位置する患部などには、アクセスが困難となる。
また、特許文献２の器具は、開創器本体に対するコンバータの取付角度に再現性が無いため、開創器本体からコンバータを何度も取り外して切除組織を取り出した場合に、臓器とポートとの位置関係が毎回変動してしまうという問題がある。
【００１２】
本発明は上述のような課題に鑑みてなされたものであり、処置中の臓器にポートを通じて繰り返しアクセスする場合の処置操作の安定性と、種々の臓器に対する多様なアクセスの実現とをともに実現する医療用処置用具を提供するものである。
【課題を解決するための手段】
【００１３】
（１）本発明の医療用処置用具は、切開創に留置される筒状の開創器本体と、前記開創器本体の開口端部に着脱自在に装着されて前記開口端部を閉蓋するコンバータと、前記コンバータの複数箇所に設けられ、処置具を前記開創器本体の内部にそれぞれ挿入するポートと、を備え、前記コンバータは、複数通りより選択的に選ばれた設置角度で前記開口端部に装着可能であり、かつ、それぞれの前記設置角度で前記コンバータを前記開口端部に装着した場合の前記開創器本体に対する前記ポートの位置関係が互いに異なることを特徴とする。
【００１４】
上記発明において、開創器本体に対する複数のポートの位置関係が同じであるとは、複数のポートが回転対称位置に配置されていて、コンバータの設置角度を変更してもポートの見た目の配置位置が不変であることをいう。逆に、開創器本体に対するポートの位置関係が互いに異なるとは、開創器本体を基準として、複数のポートの見た目の配置位置が変化することをいう。
【００１５】
上記発明によれば、コンバータの設置角度が選択的であることで開創器本体とポートとの相対位置の微小な変動が防止されるため、開創器本体に対するポートの配置位置が再現される。また、コンバータの設置角度の選択を変更することで開創器本体に対するポートの位置関係が変化するため、ポートの配置位置が多様化する。
【００１６】
本発明の医療用処置用具においては、より具体的な態様として、（２）前記開創器本体は、前記切開創を所定の開き方向に広げた状態で保持する拡張手段を備え、複数通りの前記設置角度において、前記切開創の開き方向に対する前記ポートの位置関係が互いに異なってもよい。（３）また、いずれか一つ以上の前記設置角度で前記コンバータが前記開口端部に装着された場合の第一のポートと第二のポートとを結ぶ線分の垂直二等分線と前記開き方向とのなす角度が１１５度±２０度であってもよい。（４）また、略正三角形上に配置された第一から第三の前記ポートを少なくとも含み、かつ前記設置角度が四通り以上より選択されてもよい。（５）また、前記処置具を挿通可能な複数の弁部材が前記ポートにそれぞれ設けられていてもよい。（６）また、前記第一のポートを通り前記垂直二等分線に平行な直線上に、前記弁部材の形成高さが前記第一のポートと異なる他の前記ポートをさらに有してもよい。（７）また、前記コンバータを前記開口端部に当接させた非係止状態から前記コンバータを前記開創器本体に対して軸回転方向に所定角度だけ回転させることで前記コンバータを前記開創器本体に係止状態にロックする係止手段をさらに備えてもよい。（８）また、前記垂直二等分線よりも前記所定角度だけ前記軸回転方向の前方に、前記係止状態における前記垂直二等分線の延在方向を示す指標部が設けられていてもよい。
【００１７】
また上記発明において、切開創の開き方向に対するポートの位置関係が互いに異なるとは、拡張手段の作動方向を基準として、複数のポートの見た目の配置位置が変化することをいう。
【００１８】
なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【発明の効果】
【００１９】
本発明によれば、処置中の臓器にポートを通じて繰り返しアクセスする場合に、開創器本体に対するポートの配置位置が再現されているため処置操作を安定して行うことができる。また、コンバータの設置角度の選択を変更することで開創器本体に対するポートの位置関係が変化するため、種々の臓器に対する多様なアクセスが実現される。
【図面の簡単な説明】
【００２０】
【図１】本発明の実施形態にかかる医療用処置用具の斜視図であり、（ａ）はコンバータを開創器本体から分離した状態を示し、（ｂ）はコンバータを開創器本体に装着した状態を示す図である。
【図２】（ａ）〜（ｃ）は医療用処置用具を切開創に留置する状態を示す平面図である。
【図３】（ａ）はコンバータの上方斜視図であり、（ｂ）は（ａ）の矢視図であり、（ｃ）はコンバータの下方斜視図である。
【図４】医療用処置用具の留置状態の平面図である。
【図５】第一の取付角度で医療用処置用具が留置された状態を表す模式図である。
【図６】第二の取付角度で医療用処置用具が留置された状態を表す模式図である。
【図７】（ａ）、（ｂ）は、指標部を用いて行うコンバータの装着方法を説明する平面図である。
【図８】変形例にかかるコンバータの上方斜視図である。
【発明を実施するための形態】
【００２１】
以下、本発明の実施形態を図面に基づいて説明する。尚、すべての図面において、同様な構成要素には同様の符号を付し、適宜説明を省略する。
【００２２】
図１（ａ）、（ｂ）は、本発明の実施形態にかかる医療用処置用具１０の一例を示す斜視図である。同図（ａ）はコンバータ２０を開創器本体３０から分離した状態を示し、同図（ｂ）はコンバータ２０を開創器本体３０に装着した状態を示している。
【００２３】
図２（ａ）〜（ｃ）は、本実施形態の医療用処置用具１０を切開創ＩＮＣに留置する状態を示す平面図である。同図（ａ）は、臍（同図には図示せず。図５を参照）を通過するようにして患者の正中線ＭＬに沿って形成した切開創ＩＮＣの平面図である。医療用処置用具１０によって切開創ＩＮＣを拡径する開き方向ＯＤを、同図で白抜矢印にて示す。同図（ｂ）は、切開創ＩＮＣに医療用処置用具１０が留置された状態を示す平面図である。同図（ｃ）は、医療用処置用具１０の拡張手段（引張ベルト３４）を用いて切開創ＩＮＣを四方（矢印方向）に放射方向に牽引し、これを開き方向ＯＤ（白抜矢印）に向かって略円形に拡径した状態を示す平面図である。なお、同図（ｃ）に示す引張ベルト３４の牽引時には、コンバータ２０を開創器本体３０に装着しておいてもよく、または分離しておいてもよい。
【００２４】
はじめに、本実施形態の医療用処置用具１０の概要について説明する。
本実施形態の医療用処置用具１０は、開創器本体３０とコンバータ２０とを備える。
開創器本体３０は、筒状をなし切開創ＩＮＣに留置される。コンバータ２０は、開創器本体３０の開口端部３２に着脱自在に装着されて、この開口端部３２を閉蓋する。また、コンバータ２０の複数箇所に、処置具（図示せず）を開創器本体３０の内部にそれぞれ挿入するポート２２ａ〜２２ｄが設けられている。
そして、本実施形態の医療用処置用具１０において、コンバータ２０は、複数通りより選択的に選ばれた設置角度で開口端部３２に装着可能であり、かつ、それぞれの設置角度でコンバータ２０を開口端部３２に装着した場合の開創器本体３０に対するポート２２ａ〜２２ｄの位置関係が互いに異なる。
【００２５】
次に、本実施形態の医療用処置用具１０について詳細に説明する。
医療用処置用具１０は、切開創ＩＮＣを開いた状態に維持して、腹腔内の観察、洗浄、切除、器具の留置および回収等の各種処置を補助するための器具である。
【００２６】
開創器本体３０は、腹壁の表面と裏面とを挟持するようにして切開創ＩＮＣに装着されるとともに、切開創ＩＮＣに対して径方向の力を付与してこれを拡径する部材である。開創器本体３０の具体的な構造は特に限定されないが、一例として、本実施形態の開創器本体３０は、気密性かつ可撓性を有する筒状部材３３と、この筒状部材３３の両端に設けられた第一固定部材３７および第二固定部材３８とを備えている。また、開創器本体３０には、両固定部材に亘る複数本の引張ベルト３４が設けられている。引張ベルト３４は筒状部材３３の内側に設けられている。
【００２７】
第一固定部材３７および第二固定部材３８は、ともに平板環状をなしている。第一固定部材３７は切開創ＩＮＣを通じて腹腔の内部に挿入され、開口端部３５を構成する部材であり、腹壁の裏面に密着して用いられる。第二固定部材３８は開口端部３２を構成する部材であり、腹壁の表面（体表面）に密着して用いられる。
開創器本体３０は、筒状部材３３と、ともに環状の第一固定部材３７（開口端部３５）および第二固定部材３８（開口端部３２）とが同軸で連結されて筒状をなしている。ここで、筒状は円筒状でも角筒状でもよい。
【００２８】
引張ベルト３４の先端部（図１各図における下端部）は第一固定部材３７に固定的に連結されている。また、引張ベルト３４の基端部（図１各図における上端部）は第二固定部材３８に対して径方向の内側から外側に向かって貫通して挿通されている。引張ベルト３４と第二固定部材３８には、引張ベルト３４の基端部を第二固定部材３８の径方向外側に引き抜く向きのスライドを許容し、逆に引張ベルト３４の基端部が径方向の内側に戻る向きのスライドを規制するラチェット構造がそれぞれ設けられている。そして、引張ベルト３４の基端部を第二固定部材３８に対して径方向外側に牽引することで、第一固定部材３７が引き上げられて第二固定部材３８との間隔が短縮される。このとき、引張ベルト３４の外側で筒状部材３３は折り畳まれる。
【００２９】
ここで、第一固定部材３７を切開創ＩＮＣに挿入し、第一固定部材３７と第二固定部材３８とで腹壁を緩く挟持した状態で引張ベルト３４を牽引することで、第一固定部材３７および第二固定部材３８が腹壁の裏面と表面に密着する。この結果、環状の第一固定部材３７および第二固定部材３８の開口端部３５、３２を両端とする通孔が切開創ＩＮＣの内側に形成される。かかる通孔を通じて切除組織が取り出される。
【００３０】
第一固定部材３７および第二固定部材３８には、塩化ビニル樹脂、ポリウレタン樹脂、ポリアミド樹脂、ポリエチレン樹脂、ポリプロピレン樹脂、ポリアセタール樹脂、アクリロニトリル・ブタジエン・スチレン共重合（ＡＢＳ）樹脂、水添スチレン系熱可塑性エラストマー（ＳＥＢＳ）樹脂、シリコーンゴムなどの樹脂材料や、ステンレス鋼等の金属材料が使用される。
【００３１】
筒状部材３３は肉厚０．０５〜３ｍｍの膜からなる。筒状部材３３の材質は、軟質塩化ビニル樹脂、ポリウレタン樹脂、ポリエチレン樹脂、ポリアミド樹脂、ポリプロピレン樹脂、ポリエステル樹脂、ＳＥＢＳ樹脂、シリコーンゴム、天然ゴム等の樹脂材料が好ましい。
【００３２】
コンバータ２０は、開創器本体３０の開口端部３２に着脱自在に装着されてこれを閉蓋することにより切開創ＩＮＣを気密に覆う部材である。ここで、コンバータ２０が開口端部３２を閉蓋するとは、コンバータ２０が筒状部材３３よりも開口端部３２の側に設けられていることを意味する。そしてコンバータ２０が着脱自在であるとは、開創器本体３０が腹壁に留置された状態でコンバータ２０を開創器本体３０に対して装着および取り外し可能であることをいう。
【００３３】
図３（ａ）はコンバータ２０の上方斜視図である。同図（ｂ）は同図（ａ）の矢視図である。同図（ｃ）はコンバータ２０の下方斜視図である。
【００３４】
コンバータ２０は、天板部２１と、天板部２１より突出して形成された複数のポート２２ａ〜２２ｄと、天板部２１に周設された複数の係合凸部２６とを備えている。本実施形態のコンバータ２０は平面視が円形をなし、係合凸部２６は９０度間隔で四箇所に形成されている。係合凸部２６は、コンバータ２０に対して径方向の内側に突出して形成されている突片である。
一方、開創器本体３０の環状の第二固定部材３８の周囲には、コンバータ２０の係止手段を構成する係止部３６が設けられている。係止部３６は、係止片３６ａ、切欠凹部３６ｂおよびスロープ部３６ｃからなる。係止片３６ａは、第二固定部材３８の周面に部分的に切欠形成された切欠凹部３６ｂに隣接する突片であり、係合凸部２６に対して周方向に当接することでコンバータ２０をロックする部位である。切欠凹部３６ｂに関して係止片３６ａの反対側にはスロープ部３６ｃが形成されている。スロープ部３６ｃは、第二固定部材３８の周面に形成された突片であり、かつ軸方向に下り傾斜している。スロープ部３６ｃの最下位置には、不連続な段差を介して切欠凹部３６ｂが形成されている。
係止部３６（係止片３６ａ）もまた、第二固定部材３８の周囲に９０度間隔で四箇所に形成されている。また、切欠凹部３６ｂには、補強用のリブ３６ｄが径方向の外向きに突出して形成されている。
【００３５】
図７を用いて後述するように、本実施形態の医療用処置用具１０では、コンバータ２０を開創器本体３０に対して右ネジ方向（コンバータ２０を上面視した場合の時計回り）に螺合させた場合に、係合凸部２６が係止片３６ａに当接してロックされる。具体的には、コンバータ２０を開創器本体３０に対して軸回転方向（時計回り）に回転させると、まず係合凸部２６がスロープ部３６ｃで徐々に押し下げられて、コンバータ２０は開創器本体３０（第二固定部材３８）に対して締め付けられていく。さらにコンバータ２０を時計回りに回転させると、係合凸部２６はスロープ部３６ｃを乗り越えて切欠凹部３６ｂに至る。ここで、切欠凹部３６ｂの周長は係合凸部２６の周長（幅寸法）よりも大きいため、係合凸部２６は切欠凹部３６ｂに嵌入する。そしてさらにコンバータ２０を時計回りに回転させると、係合凸部２６は切欠凹部３６ｂに嵌入した状態で、係止片３６ａに係止してロックされる（図１（ｂ）を参照）。リブ３６ｄにより第二固定部材３８は全体に径方向に補強されており、コンバータ２０の係合凸部２６は、切欠凹部３６ｂに確実に嵌入して係止片３６ａに係止してロックされる。
このため、本実施形態の医療用処置用具１０によれば、使用者はコンバータ２０が締め付けられる感触を感じながらコンバータ２０を開創器本体３０にロックすることができる。このため、コンバータ２０の装着時にその取付角度を確認することができ、言い換えるとポート２２ａ〜２２ｄが想定外の配置位置となるようなコンバータ２０の誤装着を防止することができる。
【００３６】
一方、コンバータ２０を開創器本体３０に対して軸回りの逆方向（反時計回り）に回転させると、係合凸部２６が切欠凹部３６ｂを通過して係止は解除されて、コンバータ２０が開創器本体３０から分離可能となる（図１（ａ）を参照）。
そして、係合凸部２６および係止片３６ａが９０度間隔で四箇所に配置されていることにより、コンバータ２０は複数通り（四通り）より選択的に選ばれた設置角度で開創器本体３０の開口端部３２（第二固定部材３８）に対して装着可能である。
【００３７】
図３（ａ）、（ｃ）に示すように、ポート２２ａ〜２２ｄには、処置具を挿通可能な複数の弁部材２４、２５がそれぞれ設けられている。弁部材２４、２５は、ポート２２ａ〜２２ｄの上縁側と下縁側にそれぞれ設けられている。弁部材２４、２５は、処置具を挿通する挿通孔と、自然状態でこの挿通孔を閉止するフラップとを有している。例えば弁部材２４は挿通孔が開いているシート弁であり、弁部材２５はダックビル弁や十字弁である。これにより、気腹下で処置を行う際に、処置具の周囲からの脱気が防止される。また、弁部材２４、２５は処置具を支持し、ハンドリング時の支点となる。特に、天板部２１から上方に突出した高位の弁部材２４を支点として、術中の処置具はハンドリングされる。
【００３８】
弁部材２４、２５の材質は、塩化ビニル樹脂、ポリウレタン樹脂、ポリエチレン樹脂、ポリプロピレン樹脂、ポリアセタール樹脂、ポリカーボネート樹脂、ポリサルフォン樹脂等の硬質樹脂、またはシリコーンゴム、天然ゴム、ニトリルゴム等の合成ゴムとすることができる。
【００３９】
処置具としては、把持用の鉗子、切除用のメス、補助用の鉗子、光学装置またはこれらを挿通するためのトロッカー（カニューレ）を例示することができるが、これに限られない。
【００４０】
本実施形態のポート２２ａ〜２２ｄの配置について説明する。図４は医療用処置用具１０の留置状態の平面図であり、図２（ｃ）に対応する。ただし切開創ＩＮＣは図示を省略している。同図で時計回りに配置されたポート２２ａ〜２２ｄを、順に第一から第四のポートと呼称する。
【００４１】
コンバータ２０は、略正三角形上に配置された第一のポート２２ａから第三のポート２２ｃを少なくとも含む。そして、上述のように開創器本体３０に対するコンバータ２０の設置角度は四通り以上（本実施形態では四通り）より選択される。このため、コンバータ２０の設置角度を四通りに換えることで、第一のポート２２ａ、第二のポート２２ｂおよび第三のポート２２ｃで描かれる三角形の向きは四通りに変化する。
【００４２】
本実施形態の医療用処置用具１０は、複数通り（最大四通り）より選択的に選ばれたそれぞれの設置角度において、開創器本体３０に対するポート２２ａ〜２２ｄの位置関係が相違する。最大四通りのうち、いずれか二通りに関して開創器本体３０に対するポート２２ａ〜２２ｄの位置関係が相違すればよいが、本実施形態のように複数通り（四通り）のすべてにおいてポート２２ａ〜２２ｄの位置関係が相違することがさらに好ましい。
【００４３】
なお、第一のポート２２ａから第三のポート２２ｃが略正三角形上にあるとは、コンバータ２０の平面視において、そのうち任意の二つのポート（本実施形態では第一のポート２２ａおよび第二のポート２２ｂ）の中心（第一および第二の頂点）同士を結ぶ線分ＬＳを一辺とする正三角形の第三の頂点が、他のポート（本実施形態では第三のポート２２ｃ）の内側にあることをいう。好ましくは、図４に示すように、この第三の頂点が弁部材２４または２５の内側に位置するとよい。
【００４４】
コンバータ２０の平面視において、第一のポート２２ａと第二のポート２２ｂとを結ぶ線分ＬＳの垂直二等分線ＰＢは第三のポート２２ｃを通る。言い換えると、第三のポート２２ｃは、第一のポート２２ａと第二のポート２２ｂとを結ぶ線分ＬＳの垂直二等分線ＰＢの上に存在している。
【００４５】
また、コンバータ２０は、第一のポート２２ａを通り垂直二等分線ＰＢに平行な直線（平行線ＰＬ）上に第四のポート２２ｄを有している。言い換えると、コンバータ２０の平面視において平行線ＰＬは第四のポート２２ｄを通過する。
【００４６】
すなわち、本実施形態の開創器本体３０は、切開創ＩＮＣを所定の開き方向ＯＤに広げた状態で保持する拡張手段（引張ベルト３４）を備え、複数通りの設置角度において、切開創ＩＮＣの開き方向ＯＤに対するポート２２ａ〜２２ｄの位置関係が互いに異なっている。
【００４７】
第一から第四のポート２２ａ〜２２ｄの上記配置が好ましい理由を説明する。
単孔式手術においては、処置対象の臓器（患部）に対して等しく正対する二つのポートの一方に把持用の鉗子、他方に切除用のメスを挿入するとよい。対象の臓器を鉗子で把持して吊り上げることで、当該臓器にテンションが付与されてメスによる切除が好適に行われる。したがって、本実施形態の場合、第一のポート２２ａと第二のポート２２ｂを結ぶ線分ＬＳの垂直二等分線ＰＢ上に処置対象の患部を位置させることで、当該患部の処置が好適に行われる。なお、患部を切除する場合のほか、これを医療用クリップ等の器具を患部に留置したり、患部を縫合したりする場合も同様であり、一方のポートから把持用の鉗子を挿入し、このポートと並んで臓器に正対する他のポートからそれぞれの処置具を挿入するとよい。
【００４８】
一方、単孔式手術では、この二つのポートからそれぞれ挿入された処置具によって視界が遮られない位置にＣＣＤカメラなどの光学装置を挿入することが好ましい。そこで本実施形態の医療用処置用具１０では、線分ＬＳの垂直二等分線ＰＢ上に第三のポート２２ｃを配置したことで、第一および第二のポート２２ａ、２２ｂから略等しく離間した位置に光学装置を挿入することができる。
【００４９】
さらに、第四のポート２２ｄを第一のポート２２ａと第三のポート２２ｃからともに離間した位置に配置することで、処置具同士の干渉を抑制している。このため、第四のポート２２ｄは、第一のポート２２ａと第三のポート２２ｃとの間、言い換えると垂直二等分線ＰＢに沿って第一のポート２２ａの背後、すなわち平行線ＰＬ上であって線分ＬＳに関して第三のポート２２ｃと同一側に形成されている。
【００５０】
ここで、切開創ＩＮＣは、その切開長さを極力短くして患者の負担を減らしつつも、これを十分に拡径して処置具の可動域を広く確保することが求められる。かかる観点で、図２各図に示すように切開創ＩＮＣを一文字状とし、これを開創器本体３０により放射状に広げることが好ましい。なお、切開創ＩＮＣを十字状とした場合には、この十字の四つの端点を頂点とする正方形状に切開創ＩＮＣは拡径されることとなる。
【００５１】
開創器本体３０は切開創ＩＮＣに対して任意の角度で装着することができる。図２および図４では、正中線ＭＬに沿って一文字状の切開創ＩＮＣ（図示せず）を腹壁に形成し、医療用処置用具１０の軸心Ｃが切開創ＩＮＣの中央に一致するように開創器本体３０を切開創ＩＮＣに固定した状態を示している。
このとき、四本の引張ベルト３４が、正中線ＭＬを対称軸とする鏡像対称の位置に配置される角度で開創器本体３０を切開創ＩＮＣに固定する。言い換えると、正中線ＭＬに対して引張ベルト３４の引張方向が鏡像対称となるように医療用処置用具１０を腹壁に固定する。
そして、切開創ＩＮＣに開創器本体３０を固定した状態で四本の引張ベルト３４を同時または順次牽引することで、切開創ＩＮＣは正中線ＭＬに直交する方向を開き方向ＯＤとして拡径される。
【００５２】
このようにして切開創ＩＮＣに固定された開創器本体３０の開口端部３２に対して、複数通り（本実施形態では四通り）より選択された取付角度でコンバータ２０を装着する。
【００５３】
そして、いずれか一つ以上の設置角度でコンバータ２０が開口端部３２に装着された場合（図４を参照）の第一のポート２２ａと第二のポート２２ｂとを結ぶ線分ＬＳの垂直二等分線ＰＢと、切開創ＩＮＣの開き方向ＯＤとのなす角度θ１は１１５度±２０度が好ましい。また、第一のポート２２ａと第二のポート２２ｂとを結ぶ線分ＬＳと、正中線ＭＬとのなす角度θ２は１１５度±２０度が好ましい。さらに、角度θ１および角度θ２は、１１５度±１０度が好ましい。本実施形態の場合、開き方向ＯＤと正中線ＭＬとは直交し、垂直二等分線ＰＢと線分ＬＳとは直交するため、角度θ１と角度θ２とは等しい。
【００５４】
なお、ここでいう角度θ１および角度θ２は有向角度である。角度θ１は、患者の胴体ＢＯＤに対する右向きを基準（ゼロ度）として反時計回りに測った、垂直二等分線ＰＢまでの角度である。角度θ２は、正中線ＭＬのうち医療用処置用具１０の軸心Ｃ（臍）から頭部に向かう向きを基準（ゼロ度）として反時計回りに測った、線分ＬＳまでの角度である。
【００５５】
角度θ１および角度θ２が１１５度±２０度であることにより、本実施形態の医療用処置用具１０は胆嚢ＧＢの処置に特に好適である。その理由を、図５および図６を用いて説明する。
【００５６】
図５は患者の胴体ＢＯＤを表す模式図である。胆嚢ＧＢおよび胃ＳＴを同図で模式的に図示している。切開創ＩＮＣは胴体ＢＯＤの正中線ＭＬ上に形成され、開創器本体３０は図２（ｃ）および図４と同様の取付角度で切開創ＩＮＣに留置されている。具体的には、切開創ＩＮＣの開き方向ＯＤは正中線ＭＬの直交方向（胴体ＢＯＤの左右方向）に一致している。開創器本体３０に対するコンバータ２０の取付角度も図２（ｃ）および図４と同様（以下、第一の取付角度）である。
【００５７】
図６は、開創器本体３０を切開創ＩＮＣに固定したまま、他の取付角度（以下、第二の取付角度）を選択してコンバータ２０を開創器本体３０に固定した状態を示している。より具体的には、図６に示す第二の取付角度は、図５に示した第一の取付角度を、時計回りに９０度前進させたものである。
【００５８】
上述のように、図５に示す第一の取付角度において、第一のポート２２ａと第二のポート２２ｂとを結ぶ線分ＬＳの垂直二等分線ＰＢと、引張ベルト３４による切開創ＩＮＣの開き方向ＯＤとのなす角度θ１は１１５度±２０度である。すると、図５に示す医療用処置用具１０の代表的な使用態様において、コンバータ２０を第一の取付角度で設置した場合の垂直二等分線ＰＢの延在方向が胆嚢ＧＢを指向する。図５では、臍ＢＴを中心として正中線ＭＬに沿って形成した切開創ＩＮＣに対し、引張ベルト３４による開き方向ＯＤを正中線ＭＬの直交方向に一致させて開創器本体３０を留置している。そしてこれにより、図５に示す第一の取付角度でコンバータ２０が設けられた医療用処置用具１０は、胆嚢ＧＢに対して等しく対向する第一のポート２２ａと第二のポート２２ｂから、鉗子とメスをそれぞれ挿入することができるため、胆嚢ＧＢの処置に適する。すなわち、第一の取付角度において、第一のポート２２ａから把持用の鉗子を挿入して胆嚢ＧＢを吊り上げ、第二のポート２２ｂからメスを挿入して胆嚢ＧＢの胆嚢管を好適に切除することができる。
【００５９】
そして、図６に示すように第二の取付角度でコンバータ２０を開創器本体３０に装着した場合の垂直二等分線ＰＢの延在方向は、胃ＳＴの大彎ＧＣを指向する。このため、第二の取付角度でコンバータ２０が設けられた医療用処置用具１０によれば、第一のポート２２ａと第二のポート２２ｂから挿入した鉗子とメスにより、胃ＳＴの幽門ＰＹから大彎ＧＣにかけて好適に処置することが可能である。
【００６０】
第二の取付角度からさらに時計回りに９０度前進させた第三の取付角度では垂直二等分線ＰＢが直腸近傍を指向するため、第一のポート２２ａおよび第二のポート２２ｂから挿入した処置具によって直腸の処置を好適に行うことができる。さらに、第三の取付角度からさらに時計回りに９０度前進させた第四の取付角度では垂直二等分線ＰＢが大腸を指向するため、第一のポート２２ａおよび第二のポート２２ｂから挿入した処置具によって大腸の処置を好適に行うことができる。
【００６１】
すなわち、本実施形態の医療用処置用具１０によれば、開創器本体３０に対するコンバータ２０の取付角度を複数通りから選択することにより、上述に例示される胆嚢ＧＢおよび胃ＳＴなど、複数の臓器を処置対象として単孔式手術を好適に行うことができる。また、コンバータ２０は開創器本体３０に対して着脱自在であるため、臓器の切除後にコンバータ２０を開創器本体３０から取り外すことで、大径の開口端部３２を通じて切除組織を取り出すことができる。したがって、本実施形態の医療用処置用具１０によれば、コンバータ２０を装着した気腹下操作から、コンバータ２０を外しての直視下操作に切り替えて、さらに臓器を取り出すという操作を一連に行うことも可能である。
【００６２】
そして、本実施形態によれば、一旦取り外したコンバータ２０を再び開創器本体３０に装着した際に、取付角度の選択を共通とするかぎりにおいて、ポート２２ａ〜２２ｄと臓器との位置関係が再現される。コンバータ２０は係合凸部２６および係止部３６（係止片３６ａ）によって同じ位置で開創器本体３０に固定されるためである。
【００６３】
ここで、コンバータ２０を開創器本体３０に繰り返して装着する場合に、取付角度の選択を誤って変化させてしまわないように、本実施形態の医療用処置用具１０には指標部２９が設けられている（図４を参照）。
【００６４】
図７（ａ）、（ｂ）は、指標部２９を用いて行うコンバータ２０の装着方法を説明する平面図である。
【００６５】
コンバータ２０を開口端部３２に当接させた非係止状態（図７（ａ））からコンバータ２０を開創器本体３０に対して軸回転方向（本実施形態では時計回り）に所定角度φだけ回転させることで、係止手段（係合凸部２６および係止部３６）がコンバータ２０を開創器本体３０に係止状態（図７（ｂ））にロックする。
【００６６】
非係止状態は、係止手段（係合凸部２６および係止部３６）が未係合の状態のいずれかの状態であり、コンバータ２０を開創器本体３０に対して仮当てした状態である。具体的な非係止状態は種々を採りうるが、本実施形態の医療用処置用具１０では、コンバータ２０の係合凸部２６と開創器本体３０の係止部３６とが最大限にずれあった状態を非係止状態として図７（ａ）に図示している。言い換えると、同図に図示する非係止状態は、係合凸部２６と係止部３６とが４５度間隔で離間した状態であり、上記の所定角度φは４５度である。
【００６７】
ここで、指標部２９は図７（ｂ）に示す係止状態における垂直二等分線ＰＢの延在方向を示している。指標部２９は、垂直二等分線ＰＢよりも所定角度φだけ軸回転方向（時計回り）の前方に設けられている。すなわち、コンバータ２０を開創器本体３０に仮当てした図７（ａ）において指標部２９が示す方向は、コンバータ２０を開創器本体３０に本装着した図７（ｂ）において垂直二等分線ＰＢが指向する方向と一致している。
これにより、コンバータ２０を開創器本体３０に繰り返し着脱して切除組織（胆嚢ＧＢ）を切開創ＩＮＣから取り出す場合などに、コンバータ２０を開創器本体３０に本装着したときのポート２２ａ〜２２ｄの配置位置を、装着前に事前に確認することができる。これにより、コンバータ２０の取付角度に関する誤選択を防止して、装着のやり直しによる患者への負担を避けることができる。
【００６８】
なお、本実施形態の指標部２９はコンバータ２０の天板部２１の外周近傍に設けた方向指示用のマークであるが、これは一例である。指標部２９の他の例としては、色彩や文字表示などによってコンバータ２０の角度方向を識別可能としてもよい。
【００６９】
なお、本発明は上述の実施形態に限定されるものではなく、本発明の目的が達成される限りにおける種々の変形、改良等の態様も含む。
【００７０】
図８は、変形例にかかるコンバータ２０の上方斜視図である。第一のポート２２ａを通り垂直二等分線ＰＢに平行な直線（平行線ＰＬ）上に、他のポート（第四のポート２２ｄ）をさらに有している。そして、第四のポート２２ｄの弁部材２４の形成高さは、第一のポート２２ａの弁部材２４の形成高さと異なっている。言い換えると、このコンバータ２０は、天板部２１に対して高位にある弁部材２４の形成高さが、第一のポート２２ａと第四のポート２２ｄとで異なっている。ここで、弁部材２４は、ポート２２ａ〜２２ｄに挿入される処置具の支点となる。よって、垂直二等分線ＰＢの延在方向に隣接して並ぶ第一のポート２２ａと第四のポート２２ｄにおいて支点の高さを相違させることで、処置具同士の干渉が好適に防止される。
より具体的には、天板部２１からの第一のポート２２ａの突出高さは、第二から第四のポート２２ｂ〜２２ｄの突出高さよりも低い。これにより、第一のポート２２ａに挿入される処置具の可動域が拡大する。同様の理由により、第一のポート２２ａを、第四のポート２２ｄよりも大径として処置具の基端部の可動域をさらに大きくしてもよい。
以下、参考形態の例を付記する。
１．
切開創に留置される筒状の開創器本体と、
前記開創器本体の開口端部に着脱自在に装着されて前記開口端部を閉蓋するコンバータと、
前記コンバータの複数箇所に設けられ、処置具を前記開創器本体の内部にそれぞれ挿入するポートと、を備え、
前記コンバータは、複数通りより選択的に選ばれた設置角度で前記開口端部に装着可能であり、かつ、それぞれの前記設置角度で前記コンバータを前記開口端部に装着した場合の前記開創器本体に対する前記ポートの位置関係が互いに異なることを特徴とする医療用処置用具。
２．
前記開創器本体は、前記切開創を所定の開き方向に広げた状態で保持する拡張手段を備え、
複数通りの前記設置角度において、前記切開創の開き方向に対する前記ポートの位置関係が互いに異なることを特徴とする１．に記載の医療用処置用具。
３．
いずれか一つ以上の前記設置角度で前記コンバータが前記開口端部に装着された場合の第一のポートと第二のポートとを結ぶ線分の垂直二等分線と前記開き方向とのなす角度が１１５度±２０度である２．に記載の医療用処置用具。
４．
略正三角形上に配置された第一から第三の前記ポートを少なくとも含み、かつ前記設置角度が四通り以上より選択されることを特徴とする３．に記載の医療用処置用具。
５．
前記処置具を挿通可能な複数の弁部材が前記ポートにそれぞれ設けられている３．または４．に記載の医療用処置用具。
６．
前記第一のポートを通り前記垂直二等分線に平行な直線上に、前記弁部材の形成高さが前記第一のポートと異なる他の前記ポートをさらに有する５．に記載の医療用処置用具。
７．
前記コンバータを前記開口端部に当接させた非係止状態から前記コンバータを前記開創器本体に対して軸回転方向に所定角度だけ回転させることで前記コンバータを前記開創器本体に係止状態にロックする係止手段をさらに備える３．から６．のいずれか１つに記載の医療用処置用具。
８．
前記垂直二等分線よりも前記所定角度だけ前記軸回転方向の前方に、前記係止状態における前記垂直二等分線の延在方向を示す指標部が設けられている７．に記載の医療用処置用具。
【符号の説明】
【００７１】
１０    医療用処置用具
２０    コンバータ
２１    天板部
２２ａ〜２２ｄ    ポート
２４、２５    弁部材
２６    係合凸部
２９    指標部
３０    開創器本体
３２、３５    開口端部
３３    筒状部材
３４    引張ベルト
３６    係止部
３６ａ    係止片
３６ｂ    切欠凹部
３６ｃ    スロープ部
３６ｄ    リブ
３７    第一固定部材
３８    第二固定部材
【図１】
0005625653.tif 000002
【図２】
0005625653.tif 000003
【図３】
0005625653.tif 000004
【図４】
0005625653.tif 000005
【図５】
0005625653.tif 000006
【図６】
0005625653.tif 000007
【図７】
0005625653.tif 000008
【図８】
0005625653.tif 000009